(57)【要約】【課題】使用者が理解しやすい態様で予測値に基づく表示を行う監視装置を実現する。【解決手段】本発明に係る監視装置は、全体地図情報、監視対象位置情報、ならびに、気象情報取得地点位置情報および気象情報、を記憶する記憶部と、通信部と、表示部に監視画面（５）を表示させる制御部と、を備え、気象情報は、気象に関する数値の予測値を含み、記憶部は、サーバ装置との通信によって気象情報を取得するとともに、当該気象情報を記憶し、監視画面は、全体地図（６１）、監視対象アイコン（６２）、および、気象情報取得地点アイコン（６３）を表示する地図表示部分（６）と、地図表示部分（６）に表示された各地点における気象情報を示す気象情報表示図（７１）を表示する気象情報表示図表示部分（７）と、を有し、制御部は、気象情報取得地点アイコン（６３）の表示態様を気象情報に応じて異ならせることを特徴とする。【選択図】図３
2020016463.tif 000002
【特許請求の範囲】
【請求項１】
監視対象地域に存在する監視対象、および、前記監視対象の周辺に存在し気象情報を取得する対象となる地点である気象情報取得地点、を監視する監視装置であって、
前記監視対象地域の全体地図に関する情報である全体地図情報、各監視対象の前記全体地図上における位置に関する監視対象位置情報、ならびに、各気象情報取得地点の前記全体地図上における位置に関する気象情報取得地点位置情報および各気象情報取得地点の気象に関する情報である気象情報、を記憶する記憶部と、
前記気象情報を格納するサーバ装置と通信する通信部と、
使用者の人為操作に応じて所定の表示部に監視画面を表示させる制御部と、を備え、
前記気象情報は、前記気象情報取得地点における気象に関する数値の予測値を含み、
前記記憶部は、前記通信部を介した前記サーバ装置との通信によって前記気象情報取得地点における前記気象情報を取得するとともに、当該気象情報を記憶し、
前記監視画面は、
前記全体地図情報、ならびに、前記監視対象位置情報および前記気象情報取得地点位置情報、に基づいて、前記全体地図を表示するとともに、前記監視対象を表す監視対象アイコンおよび前記気象情報取得地点を表す気象情報取得地点アイコンを当該全体地図に重ねて表示する地図表示部分と、
前記地図表示部分に表示された各気象情報対象地点における前記気象情報を示す気象情報表示図を表示する気象情報表示図表示部分と、を有し、
前記制御部は、前記地図表示部分における前記気象情報取得地点アイコンの表示態様を、当該気象情報取得地点アイコンに対応する前記気象情報取得地点の前記気象情報に応じて異ならせる監視装置。
【請求項２】
前記気象情報取得地点アイコンの前記表示態様は、前記予測値と、使用者が任意に設定可能な１つまたは複数の閾値と、の大小関係により決定される請求項１に記載の監視装置。
【請求項３】
前記気象情報表示図は、前記予測値の経時変化を表すグラフである請求項１または２に記載の監視装置。
【請求項４】
前記気象情報は、前記気象情報取得地点における気象に関する数値の実績値をさらに含む請求項１〜３のいずれか１項に記載の監視装置。
【請求項５】
前記気象情報は、前記気象情報取得地点における降水量の値および流域雨量指数の少なくとも一方を含む請求項１〜４のいずれか１項に記載の監視装置。
【請求項６】
前記気象情報取得地点は、前記監視対象のうちの少なくとも１つと関連付けられている請求項１〜５のいずれか１項に記載の監視装置。
【請求項７】
前記制御部は、前記監視対象に関連付けられた全部または一部の前記気象情報取得地点に関する前記気象情報表示図を集約して表示する気象情報一覧画面を、前記使用者の人為操作に応じて、前記監視画面に替えて、前記監視画面に重ねて、または、前記監視画面に並べて、前記表示部に表示させる請求項６に記載の監視装置。
【請求項８】
前記制御部は、前記監視対象に関連付けられた全部または一部の前記気象情報取得地点に関する前記気象情報の統計値を用いた前記気象情報表示図を、前記使用者の人為操作に応じて、前記監視画面に替えて、前記監視画面に重ねて、または、前記監視画面に並べて、前記表示部に表示させる請求項６または７に記載の監視装置。
【請求項９】
前記制御部は、前記気象情報表示図表示部分において、各気象情報取得地点に関する前記気象情報表示図とともに、各気象情報対象地点に関する前記気象情報取得地点アイコンを、前記地図表示部分における前記気象情報取得地点アイコンの表示態様と同一の表示態様で表示する請求項１〜８のいずれか１項に記載の監視装置。
【請求項１０】
監視対象地域に存在する監視対象、および、前記監視対象の周辺に存在し気象情報を取得する対象となる地点である気象情報取得地点、を監視する監視方法であって、
前記監視対象地域の全体地図に関する情報である全体地図情報、各監視対象の前記全体地図上における位置に関する監視対象位置情報、ならびに、各気象情報取得地点の前記全体地図上における位置に関する気象情報取得地点位置情報および各気象情報取得地点の気象に関する情報である気象情報、を記憶する記憶工程と、
前記気象情報を格納するサーバ装置と通信する通信工程と、
使用者の人為操作に応じて所定の表示部に監視画面を表示させる制御工程と、を備え、
前記気象情報は、前記気象情報取得地点における気象に関する数値の予測値を含み、
前記通信工程における前記サーバ装置との通信によって前記気象情報取得地点における前記気象情報を取得するとともに、前記記憶工程において当該気象情報を記憶し、
前記監視画面は、
前記全体地図情報、ならびに、前記監視対象位置情報および前記気象情報取得地点位置情報、に基づいて、前記監視対象を表す監視対象アイコン、および、前記気象情報取得地点を表す気象情報取得地点アイコン、を前記全体地図に重ねて表示する地図表示部分と、
前記地図表示部分に表示された各気象情報対象地点における前記気象情報を示す気象情報表示図を表示する気象情報表示図表示部分と、を有し、
前記制御工程において、前記地図表示部分における前記気象情報取得地点アイコンの表示態様を、当該気象情報取得地点アイコンに対応する前記気象情報取得地点の前記気象情報に応じて異ならせる監視方法。
【請求項１１】
監視対象地域に存在する監視対象、および、前記監視対象の周辺に存在し気象情報を取得する対象となる地点である気象情報取得地点、を監視する監視プログラムであって、
前記監視対象地域の全体地図に関する情報である全体地図情報、各監視対象の前記全体地図上における位置に関する監視対象位置情報、ならびに、各気象情報取得地点の前記全体地図上における位置に関する気象情報取得地点位置情報および各気象情報取得地点の気象に関する情報である気象情報、を記憶する記憶機能と、
前記気象情報を格納するサーバ装置と通信する通信機能と、
使用者の人為操作に応じて所定の表示部に監視画面を表示させる制御機能と、を、コンピュータに実行させ、
前記気象情報は、前記気象情報取得地点における気象に関する数値の予測値を含み、
前記通信機能よる前記サーバ装置との通信によって前記気象情報取得地点における前記気象情報を取得するとともに、前記記憶機能よって当該気象情報を記憶し、
前記監視画面は、
前記全体地図情報、ならびに、前記監視対象位置情報および前記気象情報取得地点位置情報、に基づいて、前記監視対象を表す監視対象アイコン、および、前記気象情報取得地点を表す気象情報取得地点アイコン、を前記全体地図に重ねて表示する地図表示部分と、
前記地図表示部分に表示された各気象情報対象地点における前記気象情報を示す気象情報表示図を表示する気象情報表示図表示部分と、を有し、
前記制御機能は、前記地図表示部分における前記気象情報取得地点アイコンの表示態様を、当該気象情報取得地点アイコンに対応する前記気象情報取得地点の前記気象情報に応じて異ならせる監視プログラム。
【発明の詳細な説明】
【技術分野】
【０００１】
本発明は、監視対象地域に存在する監視対象、および、監視対象の周辺に存在し気象情報を取得する対象となる地点である気象情報取得地点、を監視するための監視装置、監視方法、および、監視プログラムに関する。
【背景技術】
【０００２】
雨水ポンプ場、排水機場などの河川管理施設などの施設の運用、管理は、しばしば、天候による影響を考慮に入れて行われることが求められる。これらの施設は天候の影響を直接に受け、その影響により施設の安定した運用が妨げられる場合や、運転効率の低下がもたらされる場合があり、そのような場合には周辺地域・住民に被害を及ぼすおそれがあるからである。
【０００３】
天候による影響を考慮に入れた施設の運用、管理を行うための技術として、たとえば特許文献１には、雨水排水ポンプの運転に必要となる下水の動的予測を行う方法が開示されている。特許文献１の技術においては、監視対象とする雨水排水ポンプの排水区域を表す地図上に、当該排水区域内に設置された複数の水位計の位置およびその水位の現在値を表示する画面レイアウトが採用されている。このような画面レイアウトは、下水挙動を把握するために役に立つ。
【０００４】
また、特許文献２には、監視対象区域を表す地図上に、当該監視対象区域内に存在する雨量計および水位計の位置および現在値を表示する画面レイアウトが採用されている。また、特許文献２の技術においては、河川の水位が平常時よりも上昇した場合に、地図上の河川の表示色を変化させ、河川の水位変化を視覚的に知らせる構成も採用されている。これらの構成を活用することで、河川の現状を容易に把握することができる。
【先行技術文献】
【特許文献】
【０００５】
【特許文献１】特開平６ー２６４４９５号公報
【特許文献２】特開２００６−２３４６５４号公報
【発明の概要】
【発明が解決しようとする課題】
【０００６】
しかし、特許文献１の技術においては、排水区域内に設置された水位計の現在値を表示することはできるが、予測結果と地図とを併せて確認することができる画面レイアウトは採用されていなかった。そのため、今後予測される下水挙動に係る問題が、どの地点、施設において生じうるものであるのかを理解し難い場合があった。
【０００７】
また、特許文献２の技術においても、水位計などの現在値に基づく表示をすること、および、当該現在値とあらかじめ定められた警戒水位との関係に基づく表示をすること、は実現されていたが、予測値に基づいた表示を行うことは実現されていなかった。そのため、河川の水位などの今後の挙動について、予測値に基づいた表示をすることが求められていた。
【０００８】
そこで、使用者が理解しやすい態様で予測値に基づく表示を行う監視装置の実現が求められる。
【課題を解決するための手段】
【０００９】
本発明に係る監視装置は、監視対象地域に存在する監視対象、および、前記監視対象の周辺に存在し気象情報を取得する対象となる地点である気象情報取得地点、を監視する監視装置であって、前記監視対象地域の全体地図に関する情報である全体地図情報、各監視対象の前記全体地図上における位置に関する監視対象位置情報、ならびに、各気象情報取得地点の前記全体地図上における位置に関する気象情報取得地点位置情報および各気象情報取得地点の気象に関する情報である気象情報、を記憶する記憶部と、前記気象情報を格納するサーバ装置と通信する通信部と、使用者の人為操作に応じて所定の表示部に監視画面を表示させる制御部と、を備え、前記気象情報は、前記気象情報取得地点における気象に関する数値の予測値を含み、前記記憶部は、前記通信部を介した前記サーバ装置との通信によって前記気象情報取得地点における前記気象情報を取得するとともに、当該気象情報を記憶し、前記監視画面は、前記全体地図情報、ならびに、前記監視対象位置情報および前記気象情報取得地点位置情報、に基づいて、前記全体地図を表示するとともに、前記監視対象を表す監視対象アイコンおよび前記気象情報取得地点を表す気象情報取得地点アイコンを当該全体地図に重ねて表示する地図表示部分と、前記地図表示部分に表示された各気象情報対象地点における前記気象情報を示す気象情報表示図を表示する気象情報表示図表示部分と、を有し、前記制御部は、前記地図表示部分における前記気象情報取得地点アイコンの表示態様を、当該気象情報取得地点アイコンに対応する前記気象情報取得地点の前記気象情報に応じて異ならせることを特徴とする。
【００１０】
また、本発明に係る監視方法は、監視対象地域に存在する監視対象、および、前記監視対象の周辺に存在し気象情報を取得する対象となる地点である気象情報取得地点、を監視する監視方法であって、前記監視対象地域の全体地図に関する情報である全体地図情報、各監視対象の前記全体地図上における位置に関する監視対象位置情報、ならびに、各気象情報取得地点の前記全体地図上における位置に関する気象情報取得地点位置情報および各気象情報取得地点の気象に関する情報である気象情報、を記憶する記憶工程と、前記気象情報を格納するサーバ装置と通信する通信工程と、使用者の人為操作に応じて所定の表示部に監視画面を表示させる制御工程と、を備え、前記気象情報は、前記気象情報取得地点における気象に関する数値の予測値を含み、前記通信工程における前記サーバ装置との通信によって前記気象情報取得地点における前記気象情報を取得するとともに、前記記憶工程において当該気象情報を記憶し、前記監視画面は、前記全体地図情報、ならびに、前記監視対象位置情報および前記気象情報取得地点位置情報、に基づいて、前記監視対象を表す監視対象アイコン、および、前記気象情報取得地点を表す気象情報取得地点アイコン、を前記全体地図に重ねて表示する地図表示部分と、前記地図表示部分に表示された各気象情報対象地点における前記気象情報を示す気象情報表示図を表示する気象情報表示図表示部分と、を有し、前記制御工程において、前記地図表示部分における前記気象情報取得地点アイコンの表示態様を、当該気象情報取得地点アイコンに対応する前記気象情報取得地点の前記気象情報に応じて異ならせることを特徴とする。
【００１１】
また、本発明に係る監視プログラムは、監視対象地域に存在する監視対象、および、前記監視対象の周辺に存在し気象情報を取得する対象となる地点である気象情報取得地点、を監視する監視プログラムであって、前記監視対象地域の全体地図に関する情報である全体地図情報、各監視対象の前記全体地図上における位置に関する監視対象位置情報、ならびに、各気象情報取得地点の前記全体地図上における位置に関する気象情報取得地点位置情報および各気象情報取得地点の気象に関する情報である気象情報、を記憶する記憶機能と、前記気象情報を格納するサーバ装置と通信する通信機能と、使用者の人為操作に応じて所定の表示部に監視画面を表示させる制御機能と、を、コンピュータに実行させ、前記気象情報は、前記気象情報取得地点における気象に関する数値の予測値を含み、前記通信機能よる前記サーバ装置との通信によって前記気象情報取得地点における前記気象情報を取得するとともに、前記記憶機能よって当該気象情報を記憶し、前記監視画面は、前記全体地図情報、ならびに、前記監視対象位置情報および前記気象情報取得地点位置情報、に基づいて、前記監視対象を表す監視対象アイコン、および、前記気象情報取得地点を表す気象情報取得地点アイコン、を前記全体地図に重ねて表示する地図表示部分と、前記地図表示部分に表示された各気象情報対象地点における前記気象情報を示す気象情報表示図を表示する気象情報表示図表示部分と、を有し、前記制御機能は、前記地図表示部分における前記気象情報取得地点アイコンの表示態様を、当該気象情報取得地点アイコンに対応する前記気象情報取得地点の前記気象情報に応じて異ならせることを特徴とする。
【００１２】
これらの構成によれば、監視対象および気象情報取得地点のアイコンが図示された全体地図と同時に、気象情報取得地点の気象情報表示図を表示することができる。さらに、気象情報取得地点アイコンの表示態様を気象に関する数値の予測値を含んだ気象情報に応じて異ならせているので、予測される気象の変化を視覚的にわかりやすく表示することができ、その詳細を気象情報表示図で把握することができる。これらの表示の特徴により、監視対象地域のどの地点でどのような気象の変化が予測されるのかについての情報を、使用者に理解しやすい態様で提供することができる。
【００１３】
以下、本発明の好適な態様について説明する。ただし、以下に記載する好適な態様例によって、本発明の範囲が限定されるわけではない。
【００１４】
本発明に係る監視装置は、一態様として、前記気象情報取得地点アイコンの前記表示態様は、前記予測値と、使用者が任意に設定可能な１つまたは複数の閾値と、の大小関係により決定されることが好ましい。
【００１５】
この構成によれば、気象の変化が監視対象に影響を与えうることが予測される状況にあることを、視覚的に理解することができる。
【００１６】
本発明に係る監視装置は、一態様として、前記気象情報表示図は、前記予測値の経時変化を表すグラフであることが好ましい。
【００１７】
この構成によれば、近い将来に予測される気象の変化の度合いを、視覚的に理解することができる。
【００１８】
本発明に係る監視装置は、一態様として、前記気象情報は、前記気象情報取得地点における気象に関する数値の実績値をさらに含むことが好ましい。
【００１９】
この構成によれば、直近の過去から近い将来にわたる気象の変化の傾向を把握することができる。
【００２０】
本発明に係る監視装置は、一態様として、前記気象情報は、前記気象情報取得地点における降水量の値および流域雨量指数の少なくとも一方を含むことが好ましい。
【００２１】
この構成によれば、本発明に係る監視装置を、特に、雨水ポンプ場、排水機場などの河川管理施設の運用、管理において活用することができる。
【００２２】
本発明に係る監視装置は、一態様として、前記気象情報取得地点は、前記監視対象のうちの少なくとも１つと関連付けられていることが好ましい。
【００２３】
この構成によれば、監視対象に影響を与えうる気象情報を一元管理できるため、当該監視対象の周辺の気象の状況を把握しやすい。
【００２４】
本発明に係る監視装置は、一態様として、前記制御部は、前記監視対象に関連付けられた全部または一部の前記気象情報取得地点に関する前記気象情報表示図を集約して表示する気象情報一覧画面を、前記使用者の人為操作に応じて、前記監視画面に替えて、前記監視画面に重ねて、または、前記監視画面に並べて、前記表示部に表示させることが好ましい。
【００２５】
この構成によれば、監視対象に影響を与えうる気象情報を一覧することができるため、当該監視対象の周辺の気象の状況を把握しやすい。
【００２６】
本発明に係る監視装置は、一態様として、前記制御部は、前記監視対象に関連付けられた全部または一部の前記気象情報取得地点に関する前記気象情報の統計値を用いた前記気象情報表示図を、前記使用者の人為操作に応じて、前記監視画面に替えて、前記監視画面に重ねて、または、前記監視画面に並べて、前記表示部に表示させることが好ましい。
【００２７】
この構成によれば、監視対象に影響を与えうる地点の気象情報が集約されるため、当該監視対象の周辺の気象の状況を把握しやすい。
【００２８】
本発明に係る監視装置は、一態様として、前記制御部は、前記気象情報表示図表示部分において、各気象情報取得地点に関する前記気象情報表示図とともに、各気象情報対象地点に関する前記気象情報取得地点アイコンを、前記地図表示部分における前記気象情報取得地点アイコンの表示態様と同一の表示態様で表示することが好ましい。
【００２９】
この構成によれば、地図表示部分と気象情報表示図表示部分との間でアイコンが共有され、各気象情報表示図と各気象情報対象地点との対応関係がわかりやすい。
【００３０】
本発明のさらなる特徴と利点は、図面を参照して記述する以下の例示的かつ非限定的な実施形態の説明によってより明確になるであろう。
【図面の簡単な説明】
【００３１】
【図１】本実施形態に係る監視システムの概要を示す図
【図２】本実施形態に係る監視装置を示すブロック図
【図３】本実施形態に係る監視画面を示す図。
【図４】本実施形態に係る一覧画面の一例を示す図。
【図５】本実施形態に係る一覧画面の他例を示す図。
【発明を実施するための形態】
【００３２】
本発明に係る監視装置の実施形態について、図面を参照して説明する。以下では、本実施形態に係る監視装置１を組み込んだ監視システムを例に説明する。まず、図１は、本実施形態に係る監視システムの概要を示し、本実施形態に係る監視システムは、監視対象地域２に存在する雨水ポンプ場、排水機場などの河川管理施設２１（監視対象の例。以下、単に「施設２１」という。）、および、各施設２１の周辺に存在する気象情報取得地点２２（以下、単に「地点２２」という。）、を監視するものである。監視装置１に記憶された各種の情報は、監視装置１や、ネットワーク４を介してＰＣやタブレット端末、スマートフォンなどの端末装置３において参照可能になっている。これにより、本実施形態に係る監視システムにより、各施設２１および各地点２２を監視することが可能になっている。
【００３３】
〔監視装置１の構成〕
まず、監視装置１の構成について説明する。監視装置１は、記憶部１１、通信部１２、制御部１３、および、表示部１４、を備える（図２）。
【００３４】
記憶部１１は、監視対象地域２の全体地図情報Ｍ、各施設２１の位置を表す施設位置情報Ｅ（監視対象位置情報の例）、ならびに、各地点２２の位置を表す地点位置情報Ｗｐ（気象情報取得地点位置情報の例）および各地点２２の気象に関する情報である気象情報Ｗｉ、を記憶する。全体地図情報Ｍは、通信部１２を介して、インターネット上で地図情報を提供する任意のサーバ４１（以下、「地図サーバ４１」という。）から取得する。施設位置情報Ｅおよび地点位置情報Ｗｐは、使用者によりあらかじめ記憶部１１に入力されている。気象情報Ｗｉは、通信部１２を介してネットワーク４に接続された気象情報サーバ４２（サーバ装置の例）から最新の情報を取得し、これを記憶部１１に記憶する。本実施形態においては、気象情報Ｗｉは、各地点２２の降水量または流域雨量指数のいずれかであり、気象情報Ｗｉをサーバ装置から取得した時刻までの所定期間の実績値、および、当該時刻から所定期間後までの予測値、から構成される。
【００３５】
通信部１２は、監視装置１とネットワーク４に接続された機器との通信を行う。かかる通信を行う相手としては、地図サーバ４１、気象情報サーバ４２、端末装置３、各施設２１、などが挙げられる。
【００３６】
制御部１３は、使用者の人為操作の入力を受け付けるとともに、当該人為操作に応じて表示部１４に監視画面５を表示させる。監視画面５の構成については後述する。
【００３７】
監視対象たる各施設２１には、当該施設２１における運転に関するデータやそこで生じたイベントに関する情報などを収集して監視装置１に送信する通信端末が設けられており、監視装置１は、ネットワーク４を介して、各通信端末から各施設２１に関する情報を収集し、各施設２１に関する情報を記憶するようになっている。
【００３８】
気象情報を監視する対象たる各地点２２は、気象情報の実績値の取得および予測値の演算の対象となる地点群として気象情報サーバ４２に登録された地点群から選択される１つまたは複数の地点である。各地点２２には、必ずしも具体的な施設などが設けられている必要はない。
【００３９】
各地点２２は、各施設２１に影響を及ぼす気象状態の変化を事前に察知する目的に鑑みて選択される。そのため、各地点２２は、当該地点２２における気象情報の変化を挙動予測に用いる少なくとも１つの施設２１と関連付けられて記憶されている。このように構成することで、たとえば施設２１が河川の水位によりポンプや水門などを運転制御する排水機場である場合、当該排水機場の周辺のいくつかの地点２２における降水量および流域雨量指数の実績値および予測値から施設２１における水位の関係性が想定できる。そして使用者は、当該予測に基づいて、ポンプ運転を制御する、水門を開閉する、消防などの出動準備を整えるなどの初期の防災体制がとれ、迅速な初動対応を行うことができる。なお、１つの地点２２が複数の施設２１に関連付けられていてもよい。
【００４０】
〔監視画面５の構成〕
次に、監視画面５の構成について説明する。監視画面５は、地図表示部分６およびグラフ表示部分７（気象情報表示図表示部分の例）を有し、その表示内容は制御部１３により制御される（図３）。
【００４１】
地図表示部分６は、全体地図情報Ｍに基づいて表示される監視対象地域２の全体地図６１、ならびに、全体地図６１上に重ねて表示された施設アイコン６２（監視対象アイコンの例）および地点アイコン６３（気象情報取得地点アイコンの例）を含む。施設アイコン６２は、施設位置情報Ｅに基づいて、全体地図６１上における各施設２１の位置を表すものである。同様に地点アイコン６３は、地点位置情報Ｗｐに基づいて、全体地図６１上における各地点２２の位置を表すものである。なお、各施設アイコン６２および各地点アイコン６３には、各施設２１および各地点２２を識別するための記号や文字が付されている。また、各地点アイコン６３は、それぞれのアイコンに対応する地点２２について取得される気象情報Ｗｉの種類（降水量または流域雨量指数）ごとに異なる形状を有する。
【００４２】
グラフ表示部分７は、各地点２２に対応する気象情報Ｗｉ（降水量または流域雨量指数）の実績値および予測値の経時変化を表示する棒グラフ７１（気象情報表示図の例）を、地点２２ごとに表示する。各棒グラフ７１の傍には、それぞれの棒グラフ７１に対応する各地点２２を表す地点アイコン６３が付されており、地図表示部分６上の地点アイコン６３とグラフ表示部分７上の棒グラフ７１との対応関係が使用者にわかりやすい態様で明示されている。また、使用者が、地図表示部分６上の地点アイコン６３を選択する人為操作を行うと、当該地点アイコン６３が表す地点２２に対応する棒グラフ７１がグラフ表示部分７に表示される。グラフ表示部分７における棒グラフ７１の表示順は、使用者の人為操作によって任意に変更することができる。
【００４３】
地図表示部分６の地点アイコン６３を使用者の人為操作によって選択すると、選択した地点に対応する棒グラフ７１が表示される。
【００４４】
グラフ表示部分７の棒グラフ７１および地点アイコン６３、のいずれかを使用者の人為操作によって選択すると、選択したものに対応する棒グラフ７１が監視画面５に重なる態様で拡大表示される。
【００４５】
地図表示部分６およびグラフ表示部分７における地点アイコン６３の表示色（表示態様の例）は、当該地点アイコン６３が表す地点２２に対応する気象情報Ｗｉの予測値に基づいて変化する。たとえば、気象情報Ｗｉが降水量である場合、降水量の将来４８時間にわたる予測値と、あらかじめ定められた閾値との関係に従って地点アイコン６３の表示色が決定される。具体的には、地点アイコン６３は、予測値が全時間帯にわたって０ｍｍ／ｈである場合は白色、予測値が３０ｍｍ／ｈ以上となる時間帯を含む場合は赤色、予測値が２０ｍｍ／ｈ以上３０ｍｍ／ｈ未満となる時間帯を含む場合は黄色、予測値が上記以外の場合は青色、で表示される。このように、降水量の予測値に応じて異なる色で地点アイコン６３を表示することで、予測される気象状態の変化を感覚的に理解することができる。なお、これらの表示色を変更する閾値は、使用者が任意に設定することができる。
【００４６】
また、使用者が、監視画面５上に設けられたボタンを選択するなどの人為操作を行うと、各施設２１に関連付けられた全部または一部の地点２２に対応する棒グラフ７１を施設２１ごとにまとめて一覧する一覧画面８（図４、気象情報一覧画面の例）が、監視画面５に重なる態様で表示される。図４の一覧画面８では、施設αに関連付けられた４つの地点２２の棒グラフ７１と、施設βに関連付けられた３つの地点２２の棒グラフ７１が表示されている。施設２１と関連付ける地点２２は、使用者が任意に選択することができる。また、一覧画面８に一覧された棒グラフ７１のいずれかを使用者の人為操作によって選択すると、選択したものに対応する棒グラフ７１が監視画面５に重なる態様で拡大表示される。なお、使用者が、地図表示部分６上の施設アイコン６２を選択する人為操作を行うと、当該施設アイコン６２が表す施設２１内に設けられた設備の監視画面が表示される。
【００４７】
図４では、各施設２１に関連付けられた地点２２の棒グラフ７１を個別に表示する一覧画面８を例示しているが、各施設２１に関連付けられた複数の地点２２の気象情報の各時刻のデータを横並びにして合成した合成グラフ７２を表示する合成一覧画面８´（気象情報一覧画面の例）を表示してもよい（図５）。また、各施設２１に関連付けられた複数の地点２２の気象情報の各時刻のデータの合計や平均などの統計値を用いたグラフを表示するようにしてもよい。そうすることで、個々の時刻における地点２２の周辺の気象状況が把握しやすくなる。
【００４８】
〔その他の実施形態〕
続いて、本発明のその他の実施形態について説明する。なお、以下のそれぞれの実施形態で開示される構成は、矛盾が生じない限り、他の実施形態で開示される構成と組み合わせて適用することも可能である。
【００４９】
上記の実施形態では、使用者が、地図表示部分６上の施設アイコン６２を選択する人為操作を行うと、当該施設アイコン６２が表す施設２１内に設けられた設備の監視画面を表示するように構成されているが、施設アイコン６２を選択する人為操作により、当該施設アイコン６２が表す施設２１に関する一覧画面８を表示するようにしてもよい。また、地点アイコン６３を選択する人為操作により、地点アイコン６３を表す地点２２に関連付けられた施設２１に関する一覧画面８を表示するようにしてもよい。
【００５０】
上記の実施形態では、雨水ポンプ場、排水機場などの河川管理施設２１を監視対象とする構成を例として説明した。しかし、そのような構成に限定されることなく、本発明の監視対象は、水道施設、排水処理施設、下水処理施設、ダム施設、農業用水管理施設、ごみ焼却プラントなどであってもよい。
【００５１】
上記の実施形態では、気象情報として降水量および流域雨量指数の情報を使用する構成を例として説明した。しかし、そのような構成に限定されることなく、本発明において使用する気象情報は、気温、湿度、風速、風向、日照時間、波高、雲量、天気など、任意の気象情報であってよい。ここで、本発明において使用する気象情報としては、監視対象とする施設に影響を与えうる気象情報が選択されることが好ましい。
【００５２】
上記の実施形態では、全体地図情報Ｍを地図サーバ４１から取得する構成を例として説明した。しかし、そのような構成に限定されることなく、本発明に係る全体地図情報は、あらかじめ記憶部に入力されていてもよい。
【００５３】
上記の実施形態では、地点アイコン６３の表示色が、当該地点アイコン６３が表す地点２２に対応する気象情報Ｗｉの予測値に基づいて変化する構成を例として説明した。しかし、そのような構成に限定されることなく、気象情報取得地点アイコンは、気象情報に応じて、アイコンの形状、アイコンの大きさ、アイコンの模様、アイコンに付記する記号および文字などの表示態様が異なるように構成してもよい。また、気象情報に応じた数値などの情報を、気象情報取得地点アイコンに付記するように構成してもよい。
【００５４】
上記の実施形態では、グラフ表示部分７および一覧画面８に、気象情報が棒グラフの態様で表示される構成を例として説明した。しかし、そのような構成に限定されることなく、本発明に係る気象情報表示図は、折れ線グラフ、表などであってよい。また、使用者の人為操作によって、複数の表示形態を相互に切り替えることができるように構成してもよい。
【００５５】
上記の実施形態では、地図表示部分６とグラフ表示部分７とを並べて表示する構成を例として説明した。しかし、そのような構成に限定されることなく、本発明に係る地図表示部分および気象情報表示図表示部分は、互いに重なって表示されるように構成してもよい。
【００５６】
上記の実施形態では、地図表示部分６の地点アイコン６３、ならびに、グラフ表示部分７の棒グラフ７１および地点アイコン６３、のいずれかを使用者の人為操作によって選択すると、選択したものに対応する棒グラフ７１が監視画面５に重なる態様で拡大表示される構成を例として説明した。しかし、そのような構成に限定されることなく、気象情報表示図の拡大表示の表示形態は、地図表示部分に替えて表示する表示態様、地図表示部分に重ねて表示する表示態様、気象情報表示図表示部分に替えて表示する表示態様、気象情報表示図表示部分に重ねて表示する表示態様、気象情報表示図の拡大表示のみを表示する表示態様、などであってもよい。
【００５７】
上記の実施形態では、一覧画面８が監視画面５に重なる態様で表示される構成を例として説明した。しかし、そのような構成に限定されることなく、気象情報一覧画面の表示形態は、監視画面と並べて表示する表示形態、監視画面に替えて表示する表示形態などであってよい。
【００５８】
上記の実施形態では、一覧画面８に一覧された棒グラフ７１のいずれかを使用者の人為操作によって選択すると、選択したものに対応する棒グラフ７１が監視画面５に重なる態様で拡大表示される構成を例として説明した。しかし、そのような構成に限定されることなく、気象情報一覧画面上の気象情報表示図の拡大表示の表示形態は、監視画面と並べて表示する表示形態、監視画面に替えて表示する表示形態、気象情報一覧画面と並べて表示する表示形態、気象情報一覧画面と替えて表示する表示形態、などであってよい。
【００５９】
上記の実施形態では、本発明が監視装置である態様を例として説明した。しかし、本発明は、上記の実施形態と同様の機能を果たす監視方法であってもよく、上記の実施形態と同様の機能をコンピュータに実行させるプログラムであってもよい。
【００６０】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。したがって、本発明の趣旨を逸脱しない範囲で改変された別の実施形態も、当然、本発明の範囲に含まれる。
【産業上の利用可能性】
【００６１】
本発明は、たとえば、監視対象地域に存在する雨水ポンプ場や排水機場などの河川管理施設およびその周辺の気象情報の監視に利用することができる。
【符号の説明】
【００６２】
１    ：監視装置
１１  ：記憶部
１２  ：通信部
１３  ：制御部
１４  ：表示部
２    ：監視対象地域
２１  ：施設（雨水ポンプ場や排水機場などの河川管理施設）
２２  ：地点（気象情報取得地点）
３    ：端末装置
４    ：ネットワーク
４１  ：地図サーバ
４２  ：気象情報サーバ
５    ：監視画面
６    ：地図表示部分
６１  ：全体地図
６２  ：施設アイコン
６３  ：地点アイコン
７    ：グラフ表示部分
７１  ：グラフ
７２  ：合成グラフ
８    ：一覧画面
８´  ：合成一覧画面
Ｅ    ：施設位置情報
Ｍ    ：全体地図情報
Ｗｉ  ：気象情報
Ｗｐ  ：地点位置情報
【図１】
2020016463.tif 000003
【図２】
2020016463.tif 000004
【図３】
2020016463.tif 000005
【図４】
2020016463.tif 000006
【図５】
2020016463.tif 000007